(57)【要約】【課題】分電盤の箱部に内器を収容した状態で、分電盤を水平に測定し、迅速に取り付けることが可能な分電盤を提供すること。【解決手段】建物の壁の内側を通る電路を複数の回路に分ける分電盤は、壁に接する箱部と、前記電路と繋がる機器を含む内器と、水平維持手段と、仮留めされた前記箱部を前記壁に本留めする本留め手段と、を含む。水平維持手段は、前記箱部を前記箱部の長手方向の側壁が前記壁と直交する水平方向に位置するように維持し、前記箱部を前記水平方向に位置するように位置決めする水平位置決め手段と、前記箱部を前記壁に仮留めする仮留め手段と、を含む。【選択図】図１
2008271671.tif 000002
【特許請求の範囲】
【請求項１】
建物の壁の内側を通る電路を複数の回路に分ける分電盤であって、
前記分電盤は前記壁に接する箱部と、
前記箱部の中に収容された内器であって前記電路と繋がる機器を含む内器と、
前記箱部を前記箱部の長手方向の側壁が前記壁と直交する水平方向に位置するように維持する水平維持手段であって前記箱部を前記水平方向に位置するように位置決めする水平位置決め手段と前記箱部を前記壁に仮留めする仮留め手段とを含む水平維持手段と、
仮留めされた前記箱部を前記壁に本留めする本留め手段と、を含む分電盤。
【請求項２】
前記水平位置決め手段は、前記箱部に移動不能に設けられる水準器である請求項１記載の分電盤。
【請求項３】
前記水平位置決め手段は、前記側壁の一部を挟むように前記側壁に取付けられ前記箱部を水平に保持可能な取付け具であり、
前記取付け具は、
前記壁に直交する前記建物の水平な部分と接するための水平方向に延びる面を有する水平支持部と前記水平支持部から延びる第一接続部とを含む水平支持体と、
前記側壁の一部を挟持する挟持部及び前記水平支持部と前記側壁との間の距離を調整可能なように前記挟持部から延びて前記第一接続部と接続される３を含む挟持体と、を備える請求項１記載の分電盤。
【請求項４】
前記第一接続部及び前記第二接続部の一方は、前記水平支持体と前記挟持体とを接続する第一接続本体と、前記第一接続本体に取り付けられ、前記水平支持部と前記箱部との間の距離を調整するために回動する歯車と、前記歯車とともに回動するダイヤルと、を含み、
前記第一接続部及び前記第二接続部の他方は、前記水平支持体と前記挟持体とを接続する第二接続本体と、前記歯車に係合し前記第二接続本体に設けられるラックと、を含む請求項３記載の分電盤。
【請求項５】
前記水平支持体及び前記挟持体の一方は、前記水平支持体及び前記挟持体の互いを接続して固定するつまみ部を含み、
前記水平支持体及び前記挟持体の他方は、前記箱部から所定の距離離れた位置に前記つまみ部が挿通することができる貫通孔を含む請求項３記載の分電盤。
【請求項６】
前記水平維持手段は、前記壁に直交する第一の水平部分と、前記第一の水平部分と距離をおいて平行し前記壁に直交する第二の水平部分との間に位置し、
前記側壁に取り付けられ前記第一の水平部分と接する第一の取り付け具と、前記側壁に相対する他の側壁に取り付けられ前記第二の水平部分に接する第二の取り付け具と、を有し、前記第一の取り付け具と前記第二の取り付け具は、前記箱部を挟んで前記箱部に対して伸張し、
前記第一の取り付け具及び前記第二の取付け具の一方は、前記第一の水平部分と接するための水平方向に延びる面を有する第一水平支持部と前記第一水平支持部から延びる第一接続部とを含む第一水平支持体と、
前記側壁の一部を挟持する第一挟持部と前記第一水平支持部と前記側壁との間の距離を調整可能なように前記第一挟持部から延びて前記第一接続部と接続される第二接続部とを含む第一挟持体と、を備え、
前記第一の取り付け具及び前記第二の取り付具の他方は、
前記第二の水平部分と接するための水平方向に延びる面を有する第二水平支持部と前記第二水平支持部から延びる第三接続部とを含む第二水平支持体と、
前記他の側壁の一部を挟持する第二挟持部と前記第二水平支持部と前記他の側壁との間の距離を調整可能なように前記第二挟持部から延びて前記第三接続部と接続される第四接続部とを含む第二挟持体と、を備える請求項１記載の分電盤。
【請求項７】
前記仮留め手段は、両面テープ、ピン部材、釘部材、吸着部材及びこれらの組み合わせを含む請求項１から６記載の分電盤。
【請求項８】
前記仮留め手段は、前記箱部の底面に形成される筒部材と、前記筒部材の中に収容されるコイルばねと、前記コイルばねを圧縮して前記壁に係止可能なピンであって前記コイルばねのコイル部分の内径より大きく、前記筒部材の内径よりも小さい外径を有し、前記筒部材の中を摺動可能な押圧部と前記押圧部から延びて前記壁に貫入可能な貫入部とを有するピンと、を含む請求項１から７記載の分電盤。
【請求項９】
請求項１から８に記載の分電盤の取り付け方法であって、
前記箱部を前記建物の前記壁に当てて前記水平位置決め手段により前記箱部の位置を水平に位置決めする水平位置決め工程と、
前記箱部を前記仮留め手段により前記壁に仮留めする仮留め工程と、
前記箱部を固定する本留め工程と、含む前記分電盤の取り付け方法。
【発明の詳細な説明】
【技術分野】
【０００１】
本発明は、建物の壁に水平に取り付けられる分電盤に関する。
【背景技術】
【０００２】
建物の壁には、建物内に電気を供給する電気ケーブルが埋め込まれており、電気ケーブルを通る電気が前記分電盤を通して複数の回路に分けられる。分電盤は電気ケーブルと繋がる機器を含む内器を収容する箱を有しており、機器や電気ケーブルを適切に配置した結果、一般に方形の形状を有することが多い。この方形の分電盤を水平に取り付けるためには、取り付け作業を行う作業者が寸法を測って予め壁に罫線を描くか、別に準備した水準器を取り出し、分電盤に当てて水平を確認する必要があった。
【０００３】
また、罫線や水準器などで水平を確認しても、分電盤を水平に維持したまま取り付けるためには、作業者が片手で分電盤を押さえたまま、もう一方の手で前記分電盤を壁に固定するためねじで留める作業を行う必要があった。
【０００４】
しかしながら、内器は一般に５ｋｇ程度の重量を有する。５ｋｇの分電盤は片手で支えるには重く、片手で分電盤を押さえる方法は、一日に大量の分電盤を取り付ける作業者の肉体的な負担となっていた。さらに分電盤は一般に、誤って操作しないように取り付けるため、壁の天井に近い上方部分に取り付けられる。作業者が誤って分電盤を落下させた場合には、下にあるものとの衝突や分電盤の破損の危険がある。
【０００５】
特許文献１には、分電盤を水平に取り付けるため、内器を収容しない筐体である基台に水平を測定する穴を設けた仮留め板を分電盤に取り付け、該穴と分電盤の重心を利用して基台を水平に仮留めし、壁に固定することが可能な分電盤が記載されている。しかしながら特許文献１記載の方法では、基台を壁に取り付けた後で内器を取りつけることになり、分電盤の取り付け作業時間が増える。また、特許文献１の分電盤は水平に測定するのに分電盤の重心を利用するが、分電盤によって重心が異なるため、分電盤ごとに取り付ける仮留め板を変える必要があった。
【特許文献１】実開平５−２５１４号公報
【発明の開示】
【発明が解決しようとする課題】
【０００６】
本発明は、上記のような状況に鑑み、分電盤の箱部に内器を収容した状態で、分電盤を水平に測定し、迅速に取り付けることが可能な分電盤を提供することを目的とする。
【課題を解決するための手段】
【０００７】
（１）  建物の壁の内側に埋め込まれた電気ケーブルを通る電気を複数の回路に分ける分電盤であって、前記分電盤は前記壁に接する箱部と、前記箱部の中に収容された内器であって前記電気ケーブルと繋がる機器を含む内器と、前記箱部を前記箱部の長手方向の側壁が前記壁と直交する水平方向に位置するように維持する水平維持手段であって前記箱部を前記水平方向に位置するように位置決めする水平位置決め手段と前記箱部を前記壁に仮留めする仮留め手段とを含む水平維持手段と、仮留めされた前記箱部を前記壁に本留めする本留め手段と、を含む分電盤。
【０００８】
（１）の発明によれば、分電盤は壁に接する箱部と、前記箱部の中に収容された内器であって電気ケーブルと繋がる機器を含む内器と、この内器を収容した箱部を水平に位置決めして壁に仮留めする水平維持手段と、仮留めされた箱部を壁に本留めする本留め手段を含む。内器を取り外さず、箱部に収容した状態で箱部を水平に位置決めし、仮留めすることができるため、内器と箱部とを別々に取り付ける場合と比べて、作業者が迅速に作業を行うことができる。さらに、仮留めした後本留めを行うため、本留め作業を行っている間、作業者が重い内器を片手で押さえておく必要がない。両手で本留め作業を行うことが可能であるため、作業が楽に行えるほか、重い内器を支えなくて済み、作業者の肉体的負担が軽減される。
【０００９】
（２）  前記水平位置決め手段は、前記箱部に移動不能に設けられる水準器である（１）記載の分電盤。
【００１０】
（２）の発明によれば、水平位置決め手段は、箱部に移動不能に設けられる水準器である。水準器が箱部に固定的に取り付けられるため、箱部を動かすことで水平に位置決めすることができる。また、水準器を内蔵することにより、分電盤の種類や重心に左右されることなく、分電盤を水平に位置決めすることができる。
【００１１】
（３）  前記水平位置決め手段は、前記側壁の一部を挟むように前記側壁に取付けられ前記箱部を水平に保持可能な取付け具であり、
前記取付け具は、
前記壁に直交する前記建物の水平な部分と接するための水平方向に延びる面を有する水平支持部と前記水平支持部から延びる第一接続部とを含む水平支持体と、
前記側壁の一部を挟持する挟持部及び前記水平支持部と前記側壁との間の距離を調整可能なように前記挟持部から延びて前記第一接続部と接続される第二接続部を含む挟持体と、を備える（１）記載の分電盤。
【００１２】
（３）の発明によれば、水平位置決め手段は、箱部の長手方向の側壁の一部を挟むように取り付けられる取り付け具である。取り付け具は、壁に直交する建物の水平な部分と接するための水平方向に延びる面を有する水平支持部と、前記水平支持部から延びる第一接続部と、を含む水平支持体を含む。水平支持体は、たとえば天井に接する。取り付け具は、箱部の長手方向の側壁の一部を挟持する挟持部と、前記水平支持部と前記側壁との間の距離を調整可能なように挟持部から延びて第一接続部と接続される第二接続部と、を含む挟持体を含む。挟持体は箱部を挟持する。第一接続部と第二接続部とが接続されることで、箱部が建物の水平な部分（たとえば、天井）に接する水平支持体と連結され、分電盤が水平に位置決めされる。
【００１３】
第一接続部と第二接続部は、箱部と水平支持体との距離を調整可能に接続される。このため、作業者は取り付ける建物の構造に応じて、たとえば天井などの建物の水平な部分から、分電盤を取り付ける位置を調整することができる。
【００１４】
（４）  前記第一接続部及び前記第二接続部の一方は、前記水平支持体と前記挟持体とを接続する第一接続本体と、前記第一接続本体に取り付けられ、前記水平支持部と前記箱部との間の距離を調整するために回動する歯車と、前記歯車とともに回動するダイヤルと、を含み、
前記第一接続部及び前記第二接続部の他方は、前記水平支持体と前記挟持体とを接続する第二接続本体と、前記歯車に係合し前記第二接続本体に設けられるラックと、を含む（３）の分電盤。
【００１５】
（４）の発明によれば、前記第一接続部及び前記第二接続部の一方は、前記水平支持体と前記挟持体とを接続する第一接続本体と、前記第一接続本体に取り付けられ、前記水平支持部と前記箱部との間の距離を調整するために回動する歯車と、前記歯車とともに回動するダイヤルと、を含む。また、前記第一接続部及び前記第二接続部の他方は、前記水平支持体と前記挟持体とを接続する第二接続本体と、前記歯車に係合し前記第二接続本体に設けられるラックと、を含む。これにより、前記第一接続部及び前記第二接続部は、ラックとピニオンの関係で互いに係合し、移動することができる。作業者は、ダイヤルを回転させることで、ラックの設けられた第一接続部または前記第二接続部を移動させることができる。このため、箱部と水平支持部との距離を適宜調整することができる。
【００１６】
（５）  前記水平支持体及び前記挟持体の一方は、前記水平支持体及び前記挟持体の互いを接続して固定するつまみ部を含み、
前記水平支持体及び前記挟持体の他方は、前記箱部から所定の距離離れた位置に前記つまみ部が挿通することができる貫通孔を含む（３）記載の分電盤。
【００１７】
（５）の発明によれば、水平支持体及び挟持体の一方は、水平支持体及び挟持体の互いを接続して固定するつまみ部を含む。また、水平支持体及び挟持体の他方は、箱部から所定の距離離れた位置につまみ部が挿通することができる貫通孔を含む。貫通孔は、水平支持体及び挟持体の一方において、箱部から所定の距離離れた位置に予め設けられているので、水平支持体及び挟持体の他方に設けられたつまみ部を挿通させることで、予め箱部と水平支持部との距離が規定された位置において、分電盤が水平に位置決めされる。
【００１８】
（６）  前記水平維持手段は、前記壁に直交する第一の水平部分と、前記第一の水平部分と距離をおいて平行し前記壁に直交する第二の水平部分との間に位置し、
前記側壁に取り付けられ前記第一の水平部分と接する第一の取り付け具と、前記側壁に相対する他の側壁に取り付けられ前記第二の水平部分に接する第二の取り付け具と、を有し、前記第一の取り付け具と前記第二の取り付け具は、前記箱部を挟んで前記箱部に対して伸張し、
前記第一の取り付け具及び前記第二の取付け具の一方は、前記第一の水平部分と接するための水平方向に延びる面を有する第一水平支持部と前記第一水平支持部から延びる第一接続部とを含む第一水平支持体と、
前記側壁の一部を挟持する第一挟持部と前記第一水平支持部と前記側壁との間の距離を調整可能なように前記第一挟持部から延びて前記第一接続部と接続される第二接続部とを含む第一挟持体と、を備え、
前記第一の取り付け具及び前記第二の取り付具の他方は、
前記第二の水平部分と接するための水平方向に延びる面を有する第二水平支持部と前記第二水平支持部から延びる第三接続部とを含む第二水平支持体と、
前記他の側壁の一部を挟持する第二挟持部と前記第二水平支持部と前記他の側壁との間の距離を調整可能なように前記第二挟持部から延びて前記第三接続部と接続される第四接続部とを含む第二挟持体と、を備える（１）記載の分電盤。
【００１９】
（６）の発明によれば、水平維持手段は、壁に直交する第一の水平部分と、第一の水平部分と距離をおいて平行し前記壁に直交する第二の水平部分との間に位置する。水平維持手段は、箱部の側壁に取り付けられ第一の水平部分と接する第一の取り付け具と、前記側壁に相対する他の側壁とに取り付けられ第二の水平部分に接する第二の取り付け具と、を有する。第一の取り付け具と第二の取り付け具は、箱部を挟んで箱部に対して伸張し、箱部を突っ張って支持するように取り付けられる。
【００２０】
第一の取り付け具及び第二の取付け具の一方は、第一の水平部分と接するための水平方向に延びる面を有する第一水平支持部と、前記第一水平支持部から延びる第一接続部と、を含む第一水平支持体を備える。また、第一の取り付け具及び第二の取付け具の一方は、箱部の長手方向の側壁の一部を挟持する第一挟持部と、第一水平支持部と前記側壁との間の距離を調整可能なように第一挟持部から延びて第一接続部と接続される第二接続部と、を含む第一挟持体を備える。
【００２１】
第一の取り付け具及び第二の取り付け具の他方は、第二の水平部分と接するための水平方向に延びる面を有する第二水平支持部と、第二水平支持部から延びる第三接続部と、を含む第二水平支持体を備える。また、第一の取り付け具及び第二の取り付け具の他方は、箱部の長手方向の側壁に相対する他の側壁の一部を挟持する第二挟持部と、第二水平支持部と前記他の側壁との間の距離を調整可能なように前記第二挟持部から延びて前記第三接続部と接続される第四接続部と、を含む第二挟持体を備える。
【００２２】
（６）の発明によれば、たとえば、建物に天井と、梁または桟などが設けられていた場合に、この天井と梁との間に取り付け具を取り付け、天井及び梁の両側から分電盤を伸張して支持することで分電盤を水平に取り付けることができる。
【００２３】
上下の両方の方向から支持されることで、分電盤は水平に維持されるとともに、天井と梁の間に仮留めされることができる。このため作業者は両手を離して分電盤を本留めすることができる。これにより、重たい分電盤を片手で支える作業者の肉体的負担が軽減される。また、内器を収容した状態で箱部が取り付けられるため、内器を別々に取り付ける場合と比べて、作業時間が短縮できる。
【００２４】
（７）  前記仮留め手段は、両面テープ、ピン部材、釘部材、吸着部材及びこれらの組み合わせを含む（１）から（６）記載の分電盤。
【００２５】
（７）の発明によれば、両面テープ、ピン部材、釘部材、吸着部材及びこれらの組み合わせを含む仮留め手段によって、箱部は壁に仮留めされる。
【００２６】
（８）  前記仮留め手段は、前記箱部の底面に形成される筒部材と、前記筒部材の中に収容されるコイルばねと、前記コイルばねを圧縮して前記壁に係止可能なピンであって前記コイルばねのコイル部分の内径より大きく、前記筒部材の内径よりも小さい外径を有し、前記筒部材の中を摺動可能な押圧部と前記押圧部から延びて前記壁に貫入可能な貫入部とを有するピンと、を含む（１）から（７）記載の分電盤。
【００２７】
（８）の発明によれば、前記仮留め手段は、箱部の底面に形成される筒部材と、前記筒部材の中に収容されるコイルばねと、前記コイルばねを圧縮して壁に係止可能なピンと、を含む。ピンは、筒部材の内径よりも小さい外径を有し前記筒部材の中を摺動可能な押圧部と、前記押圧部から延びて前記壁に貫入可能な貫入部と、を含む。
【００２８】
仮留め手段として、筒部材とコイルばねによって支持されるピンを予め壁に貫入できるように箱部の底面に形成する。これにより、作業者は、分電盤を両手で保持して水平に位置決めした後、両手で支持したままピンの押圧部を押すことでピンを壁に貫入させることができ、仮留めを行うことができる。
【００２９】
（９）  （１）から（８）に記載の分電盤の取り付け方法であって、
前記箱部を前記建物の前記壁に当てて前記水平位置決め手段により前記箱部の位置を水平に位置決めする水平位置決め工程と、
前記箱部を前記仮留め手段により前記壁に仮留めする仮留め工程と、
前記箱部を固定する本留め工程と、含む前記分電盤の取り付け方法。
【発明の効果】
【００３０】
本発明によれば、内器と箱部とを別々に取り付ける場合と比べて、作業者が迅速に作業を行うことができる。さらに、仮留めした後本留めを行うため、両手で本留め作業を行うことが可能となり、作業者の肉体的負担が軽減される。
【発明を実施するための最良の形態】
【００３１】
以下、図を用いて本発明の実施形態について説明する。なお、本発明の実施形態は下記の実施形態に何ら限定されることなく、本発明の技術的範囲はこれに限定されるものではない。
【００３２】
図１は第一実施形態に係る分電盤の正面図である。図２は第一実施形態に係る仮留め手段の縦断面図である。図３は第一実施形態に係る分電盤の使用の状態を示す説明図である。図４は図２に示す仮留め手段の使用の状態を示す説明図である。図５は第二実施形態に係る分電盤の正面図である。図６及び図７は第二実施形態における取り付け具の縦断面図である。図８は第三実施形態に係る分電盤の正面図である。図９は図８に示す分電盤の断面図である。
【００３３】
＜第一実施形態＞
［分電盤の全体構成］
図１に示すように、分電盤１０は、アンペアブレーカー３１、漏電遮断器３３、配線用遮断器３２などの機器を含む内器３０と、内器３０が収容された箱部２０と、を含む。内器３０は、建物に埋め込まれた電気ケーブル１１０と繋がっている。電気ケーブル１１０は、内器３０から箱部２０に設けられた穴２６を通って建物の壁１００の中へ続いている。箱部２０は、箱部２０を水平に位置決めする水平位置決め手段６０と、箱部２０を壁１００に仮留めする仮留め手段４０と、を含む水平維持手段を備える。また、箱部２０は、仮留め後に本留めを行う本留め手段５０を備える。
【００３４】
［箱部］
本実施形態において、箱部２０は長手方向の側壁２１、２２と、短手方向の側壁２３、２４と、底面２５とを備える筐体の形状を有する。箱部の素材は従来公知の素材で製造してよく、特に限定されない。成型が容易であり軽量に製造できるため、箱部は樹脂により成型されることが好ましい。箱部が筐体であるため、この筐体に水平位置決め手段を設けることにより、長手方向の側壁２１、２２の辺縁を水平に合わせて位置決めすることができる。
【００３５】
上述の通り、箱部２０は内器３０を収容する。分電盤の種類によって装備する内器３０に含まれる機器が異なるため、箱部２０の全体の重量も異なる。箱部２０の全体の重量は、一般には２ｋｇから９ｋｇの範囲である。
【００３６】
箱部２０の寸法は、分電盤の種類によって異なり、内器３０を収容することができれば特に限定されない。本実施形態において、箱部２０の側壁２１、２２、２３、２４の幅、すなわち箱部２０の高さは、５．５ｃｍから７ｃｍの範囲である。
【００３７】
［水平維持手段］
１．水平位置決め手段
本実施形態において、水平維持決め手段は水準器６０であってよい。水準器６０は、箱部２０を水平に位置決めするため、箱部２０と移動不能に取り付ける。これにより、水準器６０を動かすと、箱部２０が水準器６０の動きに完全に追従する。水準器に設けられた目盛りなどの測定部を水平に合わせることで、同時に箱部２０が水平に位置決めされる。
【００３８】
水準器６０の取り付け位置は、長手方向の側壁２１、２２に対して平行でさえあれば、特に限定されない。しかしながら、一般に分電盤の取り付けは作業者が建物の天井に近い高所で、不安定な足場のもと行う場合が多い。そこで、分電盤の下側(側壁２２側)に、側壁２２に対して平行に取り付けることが好ましい。この位置に取り付けると、作業者の目線近くに水準器が位置するため、便宜であり、好ましい。
【００３９】
水準器は、水平を図ることができれば、従来公知の水準器を用いてよく、その形状、種類は特に限定されない。しかしながら、箱部２０に収容可能とするため、軽量かつ設置面積の小さいものが好ましい。また、箱部の長手方向の側壁２１、２２を水平にのみ位置決めすれば足りるため、水準器６０は棒状水平管、傾斜計などであってよい。
【００４０】
２．仮留め手段
本明細書において「仮留め」とは、内器３０を収容した箱部２０を、壁１００に取り付ける際に、木ねじなどで固定しない状態で、作業者が両手を離しても一時的に落下しない程度に箱部を壁に仮固定することをいう。ここで「一時的」とは、作業者が仮留め後本留めするまでの０．５分から１分の範囲の時間である。この程度の時間であれば、仮留め手段が箱部２０のせん断力に耐えることができ、また、外部から予測し得ない衝撃を受けて箱部が落下する可能性も低い。
【００４１】
仮留め手段は、箱部２０を仮留めすることができれば両面テープ、ピン部材、釘部材、吸着部材及びこれらの組み合わせであってよい。両面テープ、ピン部材、釘部材及び吸着部材は、従来公知の部材を用いてよく、特に限定されない。
【００４２】
図２に示すように、本実施形態において、仮留め手段は箱部２０の底面２５に形成される筒部材４０と、筒部材４０の中に収容されるコイルばね４２と、コイルばね４２を圧縮して壁１００に係止可能なピン４３と、を含む。ピン４３は、コイルばね４２のコイル部分の内径より大きく、筒部材４０の内径よりも小さい外径を有し、筒部材の中４１ｂを摺動可能な押圧部４３ａと、押圧部４３ａから延びて壁１００に貫入可能な貫入部４３ｂと、を備える。
【００４３】
筒部材４１には、筒部材の中４１ｂに収容されているピン４３の押圧部４３ａを筒部材の外から押すことができるように、筒部材４１の底面２５に対向する側に穴４１ａが形成されている。押圧部４３ａから延びる貫入部４３ｂの長さは、コイルばね４２を最大に圧縮したときのコイルばねの厚みと、底面２５の厚みとを足した長さよりも長くなければならない。さらに、コイルばねの厚みと底面２５の厚みとを足した長さを超えて、貫入部４３ｂの長さ全体が箱部２０を壁１００に係止可能な長さである必要がある。
【００４４】
仮留め手段は上記の形状とすることにより、指で押圧部４３ａを押圧すると、ピン４３が壁１００に貫入される。押圧部４３ａを押すことにより、押圧部４３ａと壁１００との間に底面２５を介在するようにして、底面２５が壁１００に係止される。これにより、箱部２０が壁１００に仮留めされる。
【００４５】
また、仮留め手段として、壁面の硬さなどにより指で押圧するのに力が必要な場合、てこの原理などを用い、小さい力で押圧する様な構造も考えられる。
【００４６】
［本留め手段］
本留め手段は、箱部を建物の耐久年数と同等程度の期間壁に取り付けておくことができれば、従来公知の手段を用いてよい。たとえば、箱部にねじや釘が貫通可能な貫通孔５０を開けておき、木ねじなどで箱部２０を壁１００に留めてよい。
【００４７】
［使用の状態］
図３に示すように、分電盤１０は、内器３０が収容された箱部２０を壁１００に留めることにより取り付けられる。分電盤１０は両手Ｈ１、Ｈ２で保持された状態で、分電盤１０に取り付けられた水準器６０により水平に測られ、位置決めされる。水準器６０は箱部２０と移動不能であるので、箱部２０を動かして水準器６０の表示に合わせることにより水準に位置決めができる。その後、分電盤１０の取り付け作業を行う作業者は、分電盤１０を両手Ｈ１、Ｈ２で保持したまま、仮留め手段４０であるピン４３の押圧部４３ａを押すことができる。
【００４８】
図４に示すように、穴４１ａから指で押圧部４３ａを押圧すると、押圧部４３ａは筒部材４１の内部４１ｂを摺動する。押圧部４３ａから延びている貫入部４３ｂは、コイルばね４２を圧縮しながら底面２５を貫通して壁１００に貫入される。ピン４３の貫入部４３ｂが壁１００に貫入されると、分電盤１０は壁１００に係止される。分電盤１０は壁１００に仮留めされるため、作業者は、両手で、たとえば木ねじで留めることなどにより、分電盤１０の本留めを行うことができる。
【００４９】
本実施形態によれば、分電盤１０を両手Ｈ１、Ｈ２で保持したまま分電盤１０を水平に位置決めすることができる。また、仮留め手段４０により仮留めされるため、分電盤１０を木ねじなどで本留めする際に、片手で分電盤１０を押さえておく必要がない。片手で分電盤を支えないことから、作業者の肉体的負担が軽減される。
【００５０】
また、本実施形態によれば、分電盤１０を軽くするために箱部２０と内器３０とを別々に分けず取り付けることができる。内器３０を収容した状態で分電盤１０の箱部２０が取り付けられるため、箱部２０と内器３０を別々に取り付ける場合よりも、作業時間が短縮される。
【００５１】
＜第二実施形態＞
図５を参照して第二実施形態について説明する。第二実施形態においては、水平維持手段の水平位置決め手段が取り付け具である点が第一実施形態と異なる。このため、水平位置決め手段について説明するが、説明されない他の点は第一実施形態と同様である。
【００５２】
［水平位置決め手段］
第二実施形態における水平位置決め手段は、箱部２０１の側壁２１１の一部を挟むように側壁２１１に取り付けられ、箱部２０１を水平に保持可能な取り付け具７０である。
【００５３】
取り付け具７０は、水平支持体８０を含む。水平支持体８０は、壁１００に直交する建物の水平な部分（たとえば、天井１０１）と接するための水平方向に延びる面を有する水平支持部８３と、水平支持部８３から延びる第一接続部８４と、を備える。
【００５４】
取り付け具７０は、挟持体９０を含む。挟持体９０は、側壁２１１の一部を挟持する挟持部９３を備え、また、水平支持部８３と箱部２０との距離を調整可能なように挟持部９３から延びて第一接続部８４と接続される第二接続部９４を備える。
【００５５】
第一接続部８４及び第二接続部９４の一方は、水平支持体８０と挟持体９０とを接続する第一接続本体８６と、第一接続本体８６に取り付けられ水平支持部８３と箱部２０１との間の距離を調整するために回動する歯車８７と、歯車８７とともに回動するダイヤル８８と、を含む。第一接続部８４及び第二接続部９４の他方は、水平支持体８０と挟持体９０とを接続する第二接続本体９６と、歯車８７に係合し第二接続本体９６に設けられるラック９７と、を含む。
【００５６】
水平支持体８０及び挟持体９０は、天井１０１などの建物の水平な部分に接して箱部２０１を平行に維持するため、容易に変形されない強度を有しさえすれば、従来公知の素材で製造されてよい。たとえば、薄い鋼板で作製されてもよく、樹脂で作製されてもよい。また、水平支持部８３及び挟持部９３と、第一接続部８４及び第二接続部９４とは、同じ素材によって、または異なる素材によってのいずれでも作製されてよい。本実施形態においては、水平支持体８０及び挟持体９０は、アルミで作製した。
【００５７】
水平支持部８３は、天井１０１などの建物の水平な部分に接するために水平方向Ｈに延びる面を有していれば、寸法や素材は適宜設定されてよい。水平に位置決めするためには、水平支持部８３の長手方向が水平方向Ｈと平行する形状を有することが、安定した位置決めのために好ましい。本実施形態において、たとえば、水平支持部８３は長手方向の長さが２０ｃｍである。
【００５８】
図６は本実施形態における取り付け具７０の断面図である。図６に示すように、挟持部９３は、側壁２１１の一方の面と他方の面に接するよう二股に分かれる形状を有する。この分岐した部分の内側に形成される凹部９３ｃに側壁２１１を挟んで、一方と他方の面から側壁２１に対して力を加えるように挟む。挟持部９３は、側壁２１１を挟持し、挟持した状態を維持可能な強度を有することができれば、その形状、素材は問わない。たとえば、挟持体９０が薄い鋼板や樹脂などで作製されると、弾性変形して側壁２１１を挟むことができるので好ましい。挟持部９３は、ヘアピン状にＵ字の形状とし、Ｕ字の先端部にかかる力を増加させて挟んでもよい。或いは、挟持部９３の二股の一方と他方が互いに平行する形状とし、一方と他方の先端部に相対する爪を設けてもよい。
【００５９】
図６に示すように、第一接続部８４と第二接続部９４とは、第一接続本体８６に設けられるダイヤル８８及び歯車８７と、第二接続本体９６に設けられるラック９７とが係合することで接続される。この歯車８７とラック９７がラックとピニオン式に係合し、歯車が上下に移動することで、水平支持部８３と挟持部９３が挟持する箱部２０との距離が調節される。ダイヤルで調節できるので、分電盤１０の設置環境に応じて自由に調節することができる。
【００６０】
第一接続部８４及び第二接続部９４の形状、本数は特に限定されない。たとえば、第一及び第二接続部８４、９４は、平板状の形状を有し、水平支持部８３及び挟持部９３から一つ形成されていてもよい。本実施形態において第一接続部８４は、二本の棒状の部材が互いに間隔をおいて水平支持部８３から延びるように形成されている。これに対応して第二接続部９４は、間隔をおいた二点で側壁２１を挟持する挟持部９３から棒状に二本、第一接続部８４と重ね合わされるように延びている。水平支持部８３及び挟持部９３において、箱部２０１が二点で支持されるため、より確実に水平に維持される。
【００６１】
水平支持部８３が天井１０１に接することで、水平支持部８３と天井１０１とは平行に位置する。一方、挟持部９３は、側壁２１１を挟むように保持する。水平支持部８３から延びる第一接続部８４と、挟持部９３から延びる第二接続部９４とは、第一及び第二接続本体８６、９６を接続することで接続され、水平支持体８０と側壁２１１とが平行して保持される。これにより、箱部２０１は水平に位置決めされる。
【００６２】
なお、図７に示すように、取り付け具７０Ａは貫通孔６２に留め具を通すものでもよい。この場合、水平支持体８０Ａ及び挟持体９０Ａの一方は、水平支持体８０Ａ及び挟持体９０Ａの互いを接続して固定するつまみ部６１を有する。また、水平支持体８０Ａ及び挟持体９０Ａの他方は、箱部２０１から所定の距離離れた位置につまみ部６１が挿通することができる貫通孔６２を備える。
【００６３】
貫通孔６２は、水平支持体８０Ａ及び挟持体９０Ａの一方において第一及び第二接続部８４Ａ、９４Ａのいずれか一方に設けられる。つまみ部６１が貫通孔６２を挿通することにより第一及び第二接続部が接続されるため、貫通孔の位置６２によって、水平支持部８３Ａから側壁２１１までの距離が調整される。なお、接続をより確実にしたい場合には、つまみ部６１のうち貫通孔６２を貫通させた端部にナットなどの固定具を取り付けてもよい。
【００６４】
貫通孔６２の数は適宜設定されてよい。貫通孔６２が一つ設けられている場合は、水平支持部８３Ａから側壁２１１までの距離は常に一定に接続される。貫通孔６２が複数設けられている場合は、作業者が分電盤１０Ａの取り付け時に、つまみ部を挿通させる貫通孔を適宜選択することにより、水平支持部８３Ａから側壁２１１までの距離が貫通孔６２の位置に応じて調整できる。本実施形態によれば、貫通孔６２が予め設けられているので、穴に挿通することで同時に水平な位置決めが可能となる。
【００６５】
［使用の状態］
第二実施形態においては、分電盤と、たとえば天井との距離は、ダイヤル８８によって所望の距離に調節される。取り付け具７０を分電盤１０Ａに取り付けた後に調節を行ってもよいが、分電盤の重量を支える時間を短縮するためには、取り付け具７０を分電盤１０Ａに取り付ける前に調節することが好ましい。取り付け具７０の挟持部９３は、分電盤１０Ａの側壁２１１を挟むように取り付けられる。取り付け具７０が取り付けられた分電盤１０Ａを、壁１００に当接させ、取り付け具７０の水平支持体８０、８０Ａを天井に当接させて、分電盤を水平に位置決めする。
【００６６】
なお、取り付け具が貫通孔と留め具を備える場合も、上述と同様である。すなわち、取り付け具７０Ａを分電盤１０Ａに取り付けた後に調節を行ってもよいが、分電盤の重量を支える時間を短縮するためには、取り付け具７０Ａを分電盤１０Ａに取り付ける前に調節することが好ましい。
【００６７】
分電盤１０Ａを水平に位置決めした後、分電盤１０Ａが備える仮留め手段４０１における押圧部４３１ａを押すことにより、貫入部４３１ｂが壁１００に貫入されて箱部２０１が仮留めされる。仮留めされた分電盤１０Ａを木ねじなどで本留めすることで、分電盤１０Ａは取り付けられる。
【００６８】
第二実施形態によれば、取り付け具７０によって水平に位置決めするものであるので、分電盤１０Ａに取り付け具を取り付け、天井などの建物の水平な部分に取り付け具の水平支持体８０、８０Ａを当接させるだけで分電盤を水平に位置決めできる。
【００６９】
また、取り付け具は分電盤と離れた部材であるため、側壁２１１に挟むことさえできれば、いかなる種類の分電盤にも取り付けることができる。したがって、水平維持決め手段を内蔵していない分電盤を水平に位置決めするのに用いることができる。
【００７０】
＜第三実施形態＞
図８及び図９に示すように、第三実施形態においては、水平維持手段として取り付け具が箱部２０２の側壁２１２側（図８の上側）及び２２２側（図８の下側）に取り付けられる点が第二実施形態と異なる。このため、水平維持手段について説明するが、説明されない他の点は第一及び第二実施形態を参照できる。
【００７１】
［水平維持手段］
第三実施形態における水平維持手段となる取り付け具７１、７２は、壁１００に直交する第一の水平部分たとえば、天井（１０１）と、前記第一の水平部分と距離をおいて平行し前記壁に直交する第二の水平部分（たとえば、梁や桟など）との間に位置する。
【００７２】
水平維持手段は、箱部の側壁２１２に取り付けられ、第一の水平部分１０１と接する第一の取り付け具７１と、箱部の側壁２２２に取り付けられ、第二の水平部分１０２と接する第二の取り付け具７２と、を有する。第一の取り付け具７１と第二の取り付け具７２とは、箱部２０２を挟んで伸張するように取り付けられる。
【００７３】
本実施形態において、側壁２１２(上)側に取り付けられる第一の取り付け具７１は、第一の水平部分１０１と接するための水平方向に延びる面を有する第一水平支持部８３ａと第一水平支持部８３ａから延びる第一接続部８４３とを含む第一水平支持体８１を有する。また、側壁２１２の一部を挟持する第一挟持部９３ａと、第一水平支持部８３ａと側壁２１２との間を調整可能なように第一挟持部９３ａから延びて第一接続部８４と接続される第二接続部９４３とを含む第一挟持体９１を有する。
【００７４】
本実施形態において、側壁２２２(下)側に取り付けられる第二の取り付け具７２は、第二の水平部分１０２と接するための水平方向に延びる面を有する第二水平支持部８３ｂと第二水平支持部８３ｂから延びる第三接続部８５とを含む第二水平支持体８２を有する。また、側壁２２２の一部を挟持する第二挟持部９３ｂと、第二水平支持部８３ｂと側壁２２との間を調整可能なように第二挟持部９３ｂから延びて第三接続部８５と接続される第四接続部９５とを含む第二挟持体９２を有する。
【００７５】
第一水平支持部８３ａ、第二水平支持部８３ｂの寸法は、天井１０１や梁１０２などの建物の水平な部分に接するために水平方向Ｈに延びる面を有していれば、寸法や素材は適宜設定されてよい。本実施形態において、たとえば、第一水平支持部８３ａ、第二水平支持部８３ｂの長手方向の長さ８３ｃ、８３ｄは２０ｃｍである。短手方向の幅８３ｅ、８３ｆ、すなわち奥行きは、分電盤１０Ｂを安定して水平に維持することができれば、適宜設定されてよい。
【００７６】
また、第一及び第二水平支持部８３ａ、８３ｂを分電盤１０Ｂに取り付けた際に、第一水平支持部８３ａ、第二水平支持部８３ｂの幅方向の端部８３ｇ、８３ｈが、壁面１００に当接するように構成してもよい。したがって、たとえば側壁２１２、２２２、２３２、２４２の幅（箱部２０２の高さ）が５．５ｃｍの場合、第一及び第二水平支持部８３ａ、８３ｂの幅８３ｅ、８３ｆを５．５ｃｍを超える寸法（たとえば、６ｃｍ）に形成する。この構成とすると、たとえば梁１０２などの建物の水平部分の出っ張りの幅が小さい場合でも、分電盤１０Ｂを容易に固定することができる。寸法は、上記のものに限られるものではないが、この場合は箱部２０２の側壁２１２、２２２、２３２、２４２の幅（箱部２０２の高さ）を越える寸法とすることが必要となる。
【００７７】
第一及び第二の取り付け具７１、７２は、第二実施形態の取り付け具７０と同様に作製され、取り付けられる。
【００７８】
第三実施形態における水平維持手段は、分電盤を取り付ける建物に、天井や梁などの壁に直交する水平な部分が二つ以上ある場合に用いることができる。第一取り付け具７１及び第二取り付け具７２は、天井１０１や梁１０２などの建物の水平な部分に接し、箱部２０２を突っ張るように支持する。第三実施形態による取り付け具は、第一及び第二水平支持部８３ａ、８３ｂが建物の水平な部分１０１、１０２、に接することで箱部２０を水平に位置決めするとともに、上下方向からの突っ張り支持により、箱部２０２を水平に仮留めすることができる。したがって、取り付け具７１、７２は、水平位置決め手段であるとともに仮留め手段にもなる。
【００７９】
［使用の状態］
分電盤と、たとえば天井１０１や梁１０２との距離は、ダイヤル８８３を回動させることによって第一接続本体８６３と第二接続本体９６３の重なり合う距離を所望の距離に調節することで調節される。分電盤１０Ｂの上（２２１側）下（２２２側）両方に第一及び第二取り付け具が取り付けられるので、分電盤１０Ｂは、ダイヤル８８３を調節することにより、第一及び第二取り付け具７１、７２が箱部２０に向かって伸張するように支持されることが可能となる。
【００８０】
このためには、第一及び第二取り付け具７１、７２を分電盤１０Ｂに取り付ける前に、第一及び第二取り付け具７１、７２を取り付けた分電盤１０Ｂが倒れない程度におおよその距離を調節して取り付ける。その後、天井１０１と梁１０２の間に第一及び第二取り付け具７１、７２が突っ張って固定されるようにダイヤルを調節する。具体的には、天井１０１と側壁２１２の距離、梁１０２と側壁２２２の距離の合計が、天井１０１から梁１０２までの距離から分電盤１０Ｂの短手方向の長さを引いた長さとなるように調整する。
【００８１】
分電盤１０Ｂが第一及び第二取り付け具７１、７２によって突っ張るように支持されると、作業者が両手を分電盤から離しても、分電盤１０Ｂは落下しない。さらに分電盤１０Ｂの上下両方から支持されるため、より安定して分電盤１０を水平に維持することができる。このため、両手を離した状態をより長く保つことができる。必要がある場合は、両手を離した状態で取り付け以外の作業を行うこともできる。作業者は重たい分電盤１０Ｂを支えることなく、両手で分電盤１０Ｂを本留めすることができる。これにより、作業者の肉体的負担が軽減される。
【００８２】
また、第二実施形態と同様、第三実施形態によれば、分電盤が水平位置決め手段を内蔵していない場合でも、側壁２１２、２２２に挟持部９３ａ、９３ｂを挟むことさえできれば、取り付けることができる。
【００８３】
本発明によれば、内器を取り外さず、箱部に収容した状態で箱部を水平に位置決めし、仮留めすることができるため、内器と箱部とを別々に取り付ける場合と比べて、作業者が迅速に作業を行うことができる。さらに、仮留めした後本留めを行うため、本留め作業を行っている間、作業者が重い内器を片手で押さえておく必要がない。両手で本留め作業を行うことが可能であるため、作業が楽に行えるほか、重い内器を支えなくて済み、作業者の肉体的負担が軽減される。
【図面の簡単な説明】
【００８４】
【図１】第一実施形態に係る分電盤の正面図である。
【図２】第一実施形態に係る仮留め手段の縦断面図である。
【図３】第一実施形態に係る分電盤の使用の状態を示す説明図である。
【図４】図２に示す仮留め手段の使用の状態を示す説明図である。
【図５】第二及び実施形態に係る分電盤の正面図である。
【図６】第二実施形態に係る取り付け具の縦断面図である。
【図７】第二実施形態に係る取り付け具の縦断面図である。
【図８】第三実施形態に係る取り付け具の正面図である。
【図９】第三実施形態に係る取り付け具の断面図である。
【符号の説明】
【００８５】
１０、１０Ａ、１０Ｂ      分電盤
２０、２０１、２０２      箱部
２１、２２、２３、２４、２１２、２２２、２３２、２４２、２１３、２２３、２３３、２４３                    側壁
３０、３０１、３０２      内器
３１、３１１、３１２      アンペアブレーカー
３２、３１１、３２２      配線用遮断器
３３、３３１、３３２      漏電遮断器
４０、４０１、４０２      仮留め手段
４１                      筒部材
４１ａ                    穴
４１ｂ                    筒部材の中
４２                      コイルばね
４３                      ピン
４３ａ、４３１ａ          押圧部
４３ｂ、４３ｂ            貫入部
５０、５０１、５０２、    本留め手段
６０、６０１、６０２      水準器
６１                      つまみ部
６２                      貫通孔
７０                      取り付け具
７１                      第一取り付け具
７２                      第二取り付け具
８０、８０Ａ              水平支持体
８１                      第一水平支持体
８２                      第二水平支持体
８３、８３Ａ              水平支持部
８３ａ                    第一水平支持部
８３ｂ                    第二水平支持部
８４、８４Ａ、８４３      第一接続部
８５                      第三接続部
８６、８６Ａ、８６３      第一接続本体
８７                      歯車
８８、８８３              ダイヤル
９０、９０Ａ              挟持体
９１                      第一挟持体
９２                      第二挟持体
９３、９３Ａ              挟持部
９３ａ                    第一挟持部
９３ｂ                    第二挟持部
９３ｃ、９３ｃＡ、        凹部
９４、９４Ａ、９４３      第二接続部
９５                      第四接続部
９６、９６Ａ、９６３      第二接続本体
９７、９７３              ラック
１００                    壁
１０１                    天井
１０２                    梁
１１０、１１１、１１２    電気ケーブル
【図１】
2008271671.tif 000003
【図２】
2008271671.tif 000004
【図３】
2008271671.tif 000005
【図４】
2008271671.tif 000006
【図５】
2008271671.tif 000007
【図６】
2008271671.tif 000008
【図７】
2008271671.tif 000009
【図８】
2008271671.tif 000010
【図９】
2008271671.tif 000011